【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
科学的試験に利用可能である取り外し可能なモジュールであって、ベースユニットの対応する取り付けベイに取り付けられ、かつ前記対応する取り付けベイから取り外されるように構成されており、
前記ベースユニットはコントローラーを備え、
前記取り外し可能なモジュールは、
前記コントローラーとの通信をサポートするように構成されている第１の接続ポートであって、前記取り外し可能なモジュールが前記ベースユニットに取り付けられると、前記対応する取り付けベイの対応する接続ポートに接続されるように構成されている、第１の接続ポートと、
前記第１の接続ポートを介して前記コントローラーに第１の出力を提供するように構成されている第１のセンサーと、
かき混ぜ装置と、
を備え、
前記かき混ぜ装置は、
媒体をかき混ぜるように構成されているとともに、
前記第１の接続ポートを介して前記コントローラーによって制御されるように構成されている、取り外し可能なモジュール。
【請求項２】
前記取り外し可能なモジュールは、前記かき混ぜ装置によってかき混ぜられる前記媒体を保持する容器を備えて構成されている、請求項１に記載の取り外し可能なモジュール。
【請求項３】
前記取り外し可能なモジュールは、前記媒体を加熱するように構成されている電気ヒーターを更に備え、
前記コントローラーは、前記媒体を目標温度に維持するように、前記第１の出力に基づいて前記第１の通信ポートを介して前記電気ヒーターを制御するように構成されている、請求項１又は２に記載の取り外し可能なモジュール。
【請求項４】
前記電気ヒーターは、前記容器に直接取り付けられている加熱ジャケットである、請求項３に記載の取り外し可能なモジュール。
【請求項５】
前記センサーは、前記媒体の温度を検知するように構成されている温度センサーであり、
前記第１の出力は前記検知された温度を示す、請求項１〜４のいずれか１項に記載の取り外し可能なモジュール。
【請求項６】
前記モジュールは攪拌シャフトを備え、
前記かき混ぜ装置は、前記攪拌シャフトに取り付けられるとともに前記攪拌シャフトによって回転されるように構成されており、
前記かき混ぜ装置は、パドル及びバスケットの一方である、請求項１〜５のいずれか１項に記載の取り外し可能なモジュール。
【請求項７】
前記センサーは前記攪拌シャフト内に位置する、請求項６に記載の取り外し可能なモジュール。
【請求項８】
前記かき混ぜ装置は往復運動装置である、請求項１〜５のいずれか１項に記載の取り外し可能なモジュール。
【請求項９】
前記取り外し可能なモジュールは、前記第１の接続ポートを介して前記コントローラーに通信接続されるように構成されている電気モーターを更に備え、
前記電気モーターは、前記コントローラーによって制御されるように構成されており、
前記電気モーターは、前記かき混ぜ装置による前記媒体のかき混ぜのための動力を供給するように構成されている、請求項１〜８のいずれか１項に記載の取り外し可能なモジュール。
【請求項１０】
前記モジュールは攪拌シャフトを更に備え、
前記かき混ぜ装置は、前記攪拌シャフトに取り付けられるとともに前記攪拌シャフトによって回転されるように構成されており、
前記モジュールは、前記電気モーターと前記攪拌シャフトとの間に接続されているマルチモーションアセンブリを備え、
前記マルチモーションアセンブリは、前記電気モーターが、
前記攪拌シャフトを昇降させずに前記攪拌シャフトを回転させることと、
前記攪拌シャフトを回転させずに前記攪拌シャフトを下降させることと、
前記攪拌シャフトを回転させずに前記攪拌シャフトを上昇させることと、
を可能にする、請求項９に記載の取り外し可能なモジュール。
【請求項１１】
前記取り外し可能なモジュールは、
一意の識別コードによって一意に識別可能であるように構成されているとともに、
前記第１の接続ポートを介して前記コントローラーに前記一意の識別コードを提供するように構成されている、請求項１〜１０のいずれか１項に記載の取り外し可能なモジュール。
【請求項１２】
科学的試験に利用可能である装置であって、ベースユニットを備え、
前記ベースユニットは、
複数の取り付けベイと、
ユーザーインターフェースと、
前記ユーザーインターフェースに通信接続されているコントローラーとを備え、
前記複数の取り付けベイはそれぞれ、
（ａ）対応する取り外し可能なモジュールを、前記取り付けベイに取り付けかつ前記取り付けベイから取り外すように構成されているとともに、
（ｂ）第１の接続ポートを備え、
前記第１の接続ポートは、
（ｉ）前記対応する取り外し可能なモジュールの対応する接続ポートに接続するように構成されており、
（ｉｉ）前記対応する取り外し可能なモジュールが前記取り付けベイに取り付けられると、前記対応する取り外し可能なモジュールと前記コントローラーとの間の通信をサポートするように構成されており、
（ｉｉｉ）前記対応する取り外し可能なモジュール内のセンサーからの第１の出力を前記コントローラーに送信するように構成されており、かつ
（ｉｖ）前記対応する取り外し可能なモジュール内のかき混ぜ装置の前記コントローラーによる制御をサポートするように構成されており、前記かき混ぜ装置は、媒体をかき混ぜるように構成されている、装置。
【請求項１３】
前記コントローラーは、前記ユーザーインターフェースを介してユーザーによってプログラム可能である、請求項１２に記載の装置。
【請求項１４】
前記ユーザーインターフェースは前記ベースユニットに移動可能に接続され、
前記ユーザーインターフェースは、ユーザーからタッチ入力を受け取るとともに前記ユーザーに視覚的出力を提供するように構成されているタッチスクリーンを備える、請求項１２又は１３に記載の装置。
【請求項１５】
前記コントローラーは、
前記複数の取り付けベイのうちの１つ又は複数の取り付けベイのどれに対応する取り外し可能なモジュールが取り付けられたのかを検知するように構成されているとともに、
１つ又は複数の取り外し可能なモジュールが取り付けられ又は取り外されたことを前記コントローラーが検知すると、前記装置の操作を再構成する再構成手順を自動的に実行するように構成されている、請求項１２〜１４のいずれか１項に記載の装置。
【請求項１６】
前記コントローラーは、
前記複数の取り付けベイのうちの対応する取り付けベイの第１のセットに取り付けられている、１つ又は複数の取り外し可能なモジュールの第１のセットに、第１のセットの制御命令を提供することと、
前記取り付けベイの第１のセットとは異なる、前記複数の取り付けベイのうちの対応する取り付けベイの第２のセットに取り付けられており、前記１つ又は複数の取り外し可能なモジュールの第１のセットとは異なる、１つ又は複数の取り外し可能なモジュールの第２のセットに、前記第１のセットの制御命令とは異なる第２のセットの制御命令を提供することと、
を同時に行うように構成されている、請求項１２〜１５のいずれか１項に記載の装置。
【請求項１７】
前記コントローラーは、前記複数の取り付けベイのうちの対応する１つ又は複数の取り付けベイのセットに取り付けられている、少なくとも２つの異なる、対応する１つ又は複数の取り外し可能なモジュールのセットに対して、少なくとも２つの異なる試験方法を同時に実行するように構成されており、
前記コントローラー及び各取り外し可能なモジュールのため、試験方法を実行することは、
前記コントローラーによって、前記取り外し可能なモジュールの容器内の媒体の温度を示す前記第１の出力を受け取ることと
前記媒体を目標温度に維持するように、前記第１の出力に基づいて前記媒体の加熱を制御することと、
対応する１つ又は複数の装置下降時間のセットのそれぞれにおいて、前記かき混ぜ装置を下降させることと、
対応する１つ又は複数の装置上昇時間のセットのそれぞれにおいて、前記かき混ぜ装置を上昇させることと、
対応する１つ又は複数のかき混ぜ時間のセットのそれぞれにおいて、攪拌パラメーターのセットに従って前記かき混ぜ装置を用いて前記媒体をかき混ぜることと、
を含む、請求項１２〜１６のいずれか１項に記載の装置。
【請求項１８】
前記コントローラーは更に、
取り付けられている各取り外し可能なモジュールから、前記対応する取り外し可能なモジュールの前記かき混ぜ装置に関するかき混ぜパラメーターフィードバックを含む第２の出力を受け取るように構成されており、
取り付けられている各取り外し可能なモジュールに関して、１つ又は複数の記録時間のセットのそれぞれについて、前記第１の出力に対応する第１の値及び前記第２の出力に対応する第２の値を記録するように構成されており、かつ
取り付けられている各取り外し可能なモジュールについて、前記記録された時間、対応する第１の値、及び対応する第２の値のテーブルを出力するように構成されている、請求項１２〜１７のいずれか１項に記載の装置。
【請求項１９】
取り付けられている１つ又は複数の取り外し可能なモジュールをさらに備える、請求項１２〜１８のいずれか１項に記載の装置。
【請求項２０】
装置を用いて科学的試験を行う方法であって、
前記装置は、第１の取り外し可能なモジュール及びベースユニットを備え、
前記第１の取り外し可能なモジュールは、
（ａ）センサーと、
（ｂ）媒体をかき混ぜるように構成されているかき混ぜ装置と、
（ｃ）第１の接続ポートと、
を備え、
前記ベースユニットは、
（ａ）複数の取り付けベイと、
（ｂ）ユーザーインターフェースと、
（ｃ）前記ユーザーインターフェースに通信接続されているコントローラーと、
を備え、
前記複数の取り付けベイはそれぞれ、
（ｉ）対応する取り外し可能なモジュールを、前記取り付けベイに取り付け又は前記取り付けベイから取り外すように構成されているとともに、
（ｉｉ）対応する接続ポートを備え、
前記第１の取り外し可能なモジュールは、前記複数の取り付けベイのうちの第１の取り付けベイに取り付けられ、
前記第１の取り外し可能なモジュールの前記第１の接続ポートは、前記第１の取り付けベイの前記対応する接続ポートに接続され、
前記方法は、
（ａ）前記コントローラーによって、前記第１の接続ポートを介して前記第１の取り外し可能なモジュールと通信することと、
（ｂ）前記コントローラーによって、前記第１の取り外し可能なモジュール内の前記センサーからの第１の出力を受け取ることと、
（ｃ）前記コントローラーによって、前記第１の取り外し可能なモジュール内の前記かき混ぜ装置を制御することと、
を含む、方法。
【請求項２１】
科学的試験に利用可能な装置であって、
ユーザーインターフェースと、
前記ユーザーインターフェースに通信接続されているコントローラーと、
複数の試験モジュールと、
を備え、
前記複数の試験モジュールはそれぞれ、
前記コントローラーに第１の出力を提供するように構成されている第１のセンサーと、
かき混ぜ装置と、
を備え、
前記かき混ぜ装置は、
媒体をかき混ぜるように構成されているとともに、
前記コントローラーによって制御されるように構成されており、
前記コントローラーは、
前記複数の試験モジュールのうちの１つ又は複数の試験モジュールの第１のセットに、第１のセットの制御命令を提供することと、
前記複数の試験モジュールのうちの１つ又は複数の試験モジュールの第１のセットとは異なる、前記複数の試験モジュールのうちの１つ又は複数の試験モジュールの第２のセットに、前記第１のセットの制御命令とは異なる第２のセットの制御命令を提供することと、
を同時に行うように構成されている、装置。